(57)【要約】【課題】薄い製品を包み込むためのフィルムシートをその胴巻き位置まで安定して供給することができる包装機のフィルムシート供給装置を提供する。【解決手段】包装機のフィルムシート供給装置は、フィルムシートＦを胴巻き位置まで移送し、それらの下端が製品の押込みラインの直上に位置付けられた３個のサクションコンベア２８ｃ，２８ｓと、これらクションコンベア２８のうちで外側の左右のサイドサクションコンベア２８ｓのそれぞれに設けられた偏向ガイド５０及び支持ガイド５２とを備えており、これら偏向ガイド５０及び支持ガイド５２は互いに協働してフィルムシートＦの側縁を一方の側に折曲する。【選択図】      図６
2004359283.tif 000002
【特許請求の範囲】
【請求項１】
フィルムウエブの繰り出し過程にて前記フィルムウエブから所定長さのフィルムシートを形成し、前記フィルムシートを鉛直な移送面に沿って胴巻き位置まで供給した後、前記移送面と交差する押込みラインに沿って製品を押込み、前記製品の回りに前記フィルムシートを胴折りする包装機において、
前記押込みラインの直上に下端を位置付けて前記フィルムシートの前記移送面を規定し、前記フィルムシートをそれぞれ吸着して前記胴巻き位置まで移送する左右のサクションコンベアであって、
各々が前記フィルムシートの側縁を食み出させた状態で、前記側縁に隣接する前記フィルムシートの部位を吸着し、一方向に走行する無端状のサクションベルトと、前記サクションベルトにサクション圧を供給するとともに前記サクションベルトの走行を案内するサクション供給ガイドとを有する、左右のサクションコンベアと、
前記サクション供給ガイドのそれぞれに前記移送面に沿って設けられ、前記フィルムシートの対応する側の前記食出し側縁を案内し、且つ、前記食出し側縁を前記移送面の片側に偏向させる偏向ガイドと、
前記サクション供給ガイドのそれぞれに前記移送面に設けられ、前記偏向ガイドと対応する側の前記サクションベルトとの間にて前記食出し側縁を支持する支持ガイドと
を具備したことを特徴とする包装機のフィルムシート供給装置。
【請求項２】
前記左右のサクションコンベアはその配置位置を前記フィルムシートの幅方向に調整可能であり、
前記偏向ガイドを前記移送面に沿う方向及び前記移送面と交差する方向にそれぞれ変位可能とする第１調整手段と、
前記支持ガイドを前記移送面と交差する方向に変位可能とする第２調整手段とを更に具備したことを特徴とする請求項１の包装機のフィルムシート供給装置。
【発明の詳細な説明】
【０００１】
【発明の属する技術分野】
本発明は、製品の包材としてのフィルムシートを供給する包装機のフィルムシート供給装置に関する。
【０００２】
【従来の技術】
この種の包装機には、フィルムシートの移送を案内する可動及び固定の案内板を備えた供給装置（特許文献１）や、フィルムシートを吸着して移送するサクションコンベアを備えた供給装置（特許文献２，３）が知られており、これらの供給装置は何れも、フィルムシートを胴巻き位置まで供給する。なお、胴巻き位置にて、フィルムシートは製品とともに包装ラインに押し込まれ、この際、製品の回りに先ず胴折りされる。
【０００３】
【特許文献１】
特公昭２９−６８４９号公報
【特許文献２】
特開平７−１０１２７号公報
【特許文献３】
特開平１０−２０３５０４号公報
【０００４】
【発明が解決しようとする課題】
特許文献１の供給装置の場合、フィルムシートは可動及び固定の案内板間にて垂下した状態にあるので、製品の押込み時、フィルムシートにふらつきが生じ易く、製品の押込みに伴うフィルムシートの胴折りを不安定にする虞がある。
この点、特許文献２，３の供給装置は何れもサクションベルトを使用してフィルムシートを移送し、そして、フィルムシートが胴巻き位置に移送されても、フィルムシートの両側縁はそれぞれ外側サクションベルトにより吸着して保持されているので、胴巻き位置にてフィルムシートを安定して位置付けることができ、特許文献１の供給装置が有する不具合を解消することができる。
【０００５】
しかしながら、特許文献２，３の供給装置の外側サクションベルトは、製品の押込み位置を越えてフィルムシートを吸着搬送するために製品幅よりも側方に位置付けられていなければならない。更に、製品からのフィルムシートの側方の張り出し量が製品の厚さに比例することから、製品が厚く、フィルムシートが製品の側方に大きく張り出される場合にのみ、つまり、フィルムシートの幅が製品の幅よりも十分に広い場合にのみ、その使用が可能であり、製品が薄い場合にはフィルムシートの幅と製品の幅との間の差が僅かしかないため、外側サクションベルトを使用すると、製品の押込み時、製品が外側サクションベルトに干渉し、製品の押込み自体が不能になる。
【０００６】
このような干渉を避けるには、特許文献３に開示された中央のサクションベルトと同様に、外側サクションベルトを上下に分割することも考えられる。しかしながら、この場合、サクションベルトのための駆動軸が上下に２本必要となり、その駆動系の構成が複雑になるとともに、メンテナンスもまた容易ではない。また、製品の押込み位置にて、フィルムシートの吸着搬送が断絶するため、フィルムシートの安定供給が担保されず、このため、吸着搬送が断絶する領域にフィルムシートを安定して供給するための別の安定化手段が必要になる。
【０００７】
本発明は上述の事情に基づいてなされたもので、その目的とするところは、薄い製品の包装に好適し、簡単な構成でフィルムシートを胴巻き位置に安定して供給することができる包装機のフィルムシート供給装置を提供することにある。
【０００８】
【課題を解決するための手段】
上記の目的を達成するため、本発明は、フィルムウエブの繰り出し過程にて、フィルムウエブから所定長さのフィルムシートを形成し、フィルムシートを鉛直な移送面に沿って胴巻き位置まで供給した後、前記移送面と交差する押込みラインに沿って製品を押込み、製品の回りにフィルムシートを胴折りする包装機において、本発明のフィルムシート供給装置は、押込みラインの直上に下端を位置付けてフィルムシートの前記移送面を規定し、フィルムシートをそれぞれ吸着して胴巻き位置まで移送する左右のサクションコンベアであって、各々がフィルムシートの側縁を食み出させた状態で、この側縁に隣接するフィルムシートの部位を吸着し、一方向に走行する無端状のサクションベルトと、サクションベルトにサクション圧を供給するとともにサクションベルトの走行を案内するサクション供給ガイドとを有する、左右のサクションコンベアと、サクション供給ガイドのそれぞれに前記移送面に沿って設けられ、フィルムシートの対応する側の食出し側縁を案内し、且つ、食出し側縁を前記移送面の片側に偏向させる偏向ガイドと、サクション供給ガイドのそれぞれに前記移送面に設けられ、偏向ガイドと対応する側のサクションベルトとの間にて食出し側縁を支持する支持ガイドとを備えている。
【０００９】
上述したフィルムシート供給装置によれば、左右のサクションコンベアにより移送面に沿ってフィルムシートが胴巻き位置まで移送されるとき、フィルムシートの両側縁は、支持ガイドに支持される一方、偏向ガイドにより移送面に片側に偏向、つまり、折曲され、この折曲部はフィルムシートの補強リブとして働く。従って、フィルムシートは、支持ガイド及び偏向ガイドにより、その両側縁に補強リブを形成しながら、胴巻き位置まで移送される。
【００１０】
フィルムシートが胴巻き位置にあるとき、フィルムシートの下部は移送面、つまり、サクションコンベアの下端（支持ガイド及び偏向ガイド）から垂下されて自由状態になるものの、フィルムシートの上部は左右のサクションコンベアのサクションベルトに未だ吸着保持されており、しかも、その両側縁には支持ガイド及び偏向ガイドにより前述した補強リブが形成された状態にある。
【００１１】
このようなフィルムシートの上部両側縁における補強リブの存在は、フィルムシートの下部をその両側縁間に亘って若干湾曲させ、その腰を強くする。従って、フィルムシートの下部は自由状態にあっても、その垂下姿勢を安定して維持する。
この後、フィルムシートは製品とともに押し込まれ、製品の回りに胴折りされる。
【００１２】
好ましくは、左右のサクションコンベアはその配置位置がフィルムシートの幅方向に調整可能であり、そして、供給装置は、偏向ガイドを移送面に沿う方向及び移送面と交差する方向にそれぞれ変位可能とする第１調整手段と、支持ガイドを移送面と交差する方向に変位可能とする第２調整手段とを更に備えている（請求項２）。
【００１３】
左右のサクションコンベアはその配置位置をフィルムシートの幅に応じて可変でき、そして、第１及び第２調整手段は偏向ガイド及び支持ガイドを介して、フィルムシートにおける両側縁に形成すべ折曲部、つまり、補強リブのサイズや形状をフィルムシートの機械的性質に応じて調整する。
【００１４】
【発明の実施の形態】
図１は、タレット形上包み包装機内での製品Ａの包装手順を概略的に示す。
上包み包装機は、製品Ａの供給コンベア２を備えており、供給コンベア２は水平方向に延び、製品Ａを一列にして一定の速度で搬送する。この場合、製品ＡはＣＤやＤＶＤ等の薄い矩形形状のケースである。
【００１５】
供給コンベア２の前方には包装ライン６が延びており、この包装ライン６は始端にタレット８を備えている。タレット８はその周方向に等間隔を存して複数のポケットを有し、その間欠回転により、各ポケットはタレット８の入口位置に順次位置付けられ、この入口位置にて製品Ａを１個ずつ受け取ることができる。なお、図１中、タレット８はその回転軸線１０のみで示され、参照符号ＦＲ’は待機状態にあるフィルムロールを示す。
【００１６】
一方、供給コンベア２とタレット８との間には、製品切離しセクションが配置されており、この製品切離しセクションは、供給コンベア２上の製品列から先頭製品Ａを切離し、そして、切り離した製品Ａをタレット８の入口位置にあるポケット内にフィルムシートＦとともに押し込む。この際、フィルムシートＦは図２に示されるように製品Ａの回りに胴折りされる。なお、製品Ａの押込みに先立ち、フィルムシートＦは入口位置の手前側の胴巻き位置に既に供給されており、この胴巻き位置にて垂下された状態にある。
【００１７】
より詳しくは、フィルムシートＦは、フィルムロールＦＲから繰り出されるフィルムウエブＦＷを所定の長さに切断して得られ、タレット８と製品切離しセクションとの間、つまり、タレット８の入口位置の手前に垂下される。なお、フィルムウエブＦＷにはテープロールＴＲから繰り出されたテープＴが接着され、従って、フィルムシートＦは開封テープを有するものとなっている。
【００１８】
一方、ポケット内にフィルムシートＦとともに押し込まれた製品Ａはタレット８の間欠回転に伴い、タレット８の出口位置に向けて移送され、この過程にて、フィルムシートＦの胴フラップ折り及び胴シールが順次実施され、製品ＡはフィルムシートＦにより胴巻きされる。このとき、フィルムシートＦは筒状をなし、その両端が製品Ａの両側面から突出した状態にある。
【００１９】
タレット８の出口位置に到達した胴巻き製品Ａはそのポケットから包装ライン６のサイド折込みセクションに排出され、このサイド折込みセクションを移送される。この移送過程にて、製品Ａの両側面に対して筒状フィルムシートＦの耳折りやサイドフラップ折り、そして、サイドシールが順次実施され、これにより、製品ＡはフィルムシートＦにより完全に包み込まれ、包装品Ｐとなる。この後、包装品Ｐは包装ライン６から後段の工程、具体的には箱詰め工程に向けて移送される。
【００２０】
図３を参照すると、前述した製品切離しセクションの一部、つまり、製品Ａの移送ガイド１２が示されており、この移送ガイド１２は供給コンベア２上の製品列から切り離された製品Ａをタレット８の入口位置、つまり、入口位置のポケット８ａに向けて案内する。即ち、移送ガイド１２は製品Ａの押込みラインを規定する。
【００２１】
また、図３に示されるように入口位置にあるポケット８ａの直下には胴折りタッカ１４が昇降可能に配置され、そして、ポケット８ａの上方には円弧ガイド１６か固定して配置されている。胴折りタッカ１４はその上昇時、フィルムシートＦの胴折りにより形成された上下の胴フラップのうち、その下側の胴フラップを先ず製品Ａの端面に折込み、これに対し、円弧ガイド１６は入口位置からポケット８ａが間欠回転される際、上側の胴フラップを製品Ａの端面に折込んで下側の胴フラップに重ね合わせる。
【００２２】
更に、胴巻き位置にあるフィルムシートＦと入口位置のポケット８ａとの間にはポケット８ａを上下に挟むようにして受渡しローラ１８が配置されており、これら受渡しローラ１８はフィルムシートＦとポケット８ａとの間にて往復動し、製品Ａ及びフィルムシートＦの押込みを案内する。
なお、図３中、参照符号２０はフィルムシートＦの到達検知センサを示し、この到達検知センサはフィルムシートＦが胴巻き位置に到達したか否かを検出する。
【００２３】
更にまた、図３には製品Ａのプッシャ２２もまた示されており、このプッシャ２２は製品Ａを入口位置のポケット８ａ内にフィルムシートＦとともに押込む。具体的には、図４に示されているようにプッシャ２２は左右の突込み爪２４からなり、これら突込み爪２４は移送ガイド１２内を往動することにより、製品ＡをフィルムシートＦとともにポケット８ａ内に押し込み、この後、製品Ａの側方に一旦移動し、移送ガイド１２の外側を復動する。ここで、図４から明らかなように左右の突込み爪２４はフィルムシートＦを越えて入口位置のポケット８ａ側に往動している。
【００２４】
移送ガイド１２の終端の直上からはフィルムシートＦの供給ライン２６が上方に向けて延びており、供給ライン２６は前述したフィルムウエブＦＷの繰出しラインに連なっている。なお、図示は省略されているが、フィルムウエブＦＷの繰出しラインの終端部には切断ユニット及び繰出しローラユニットがそれぞれ設けられており、切断ユニットはフィルムウエブＦＷを切断してフィルムシートＦを形成し、そして、繰出しローラユニットはフィルムシートＦを供給ライン２６に供給する。
【００２５】
供給ライン２６は鉛直方向に延びる複数のサクションコンベア２８から構成されており、これらサクションコンベア２８はフィルムシートＦの移送面を規定し、フィルムシートＦを移送面に沿って移送して前述した胴巻き位置に供給する。より詳しくは、図５に示されるようにサクションコンベアは、センタサクションコンベア２８ｃと、このセンタサクションコンベア２８ｃの両側に配置されたサイドサクションコンベア２８ｓとからなり、これらサクションコンベア２８ｃ，２８ｓは互いに平行に配置され、上端部にて駆動軸３０にそれぞれ支持されているとともに、それらの下端は移送ガイド１２、つまり、押込みラインの直上に位置付けられている。左右のサイドサクションコンベア２８ｓは駆動軸３０上を移動可能であり、これにより、センタサクションコンベア２８ｃとサイドサクションコンベア２８ｓとの間の間隔を調整することができる。
【００２６】
各サクションコンベア２８は、ギヤベルトからなる無端状のサクションベルト３２を備え、サクションベルト３２は駆動軸３０上の駆動ギヤプーリ３４と下方の従動ギヤプーリ３６との間に掛け回されている。従って、サクションベルト３２は駆動軸３０の回転により一方向に走行する。なお、駆動ギヤプーリ３４は駆動軸３０上に摺動可能にして取付けられている。
【００２７】
サクションベルト３２はその歯溝に吸着孔３８を有し、これら吸着孔３８にサクション供給ガイド４０内からサクション圧が供給される。即ち、サクション供給ガイド４０はサクションベルト３２に沿って延び、サクションベルト３２の走行を案内する一方、図６に示されるように、その内部にサクション室４２を有している。サクション室４２はサクション供給ガイド４０のほぼ全長に亘って延び、サクションベルト３２との間に案内プレート４４を有する。案内プレート４４にはサクションベルト３２に沿って延びる吸引スロット４６が形成され、サクション室４２内のサクション圧は吸引スロット４６を通じてサクションベルト３２の吸着孔３８に供給される。
【００２８】
従って、サクションベルト３２はフィルムウエブＦＷの繰出しライン側から供給されるフィルムシートＦを吸着孔３８により吸着し、そして、その走行とともに移送面に沿って胴巻き位置まで移送することができる。
なお、図５中、参照符号４８はエア配管をそれぞれ示し、これらエア配管４８は各サクションコンベア２８のサクション室４２にサクション圧を供給する。
【００２９】
図６から明らかなように、各サクション供給ガイド４０はその内部に案内プレート４４及びサクションベルト３２が配置され、サクション供給開度４０の先端面とフィルムシートＦの間には所望のギャップＧが確保されている。従って、サクション供給ガイド４０がフィルムシートＦと接触することはない。
左右のサイドサクションコンベア２８ｓには偏向ガイド５０及び支持ガイド５２がそれぞれ設けられている。これら偏向ガイド５０及び支持ガイド５２はフィルムシートＦを中心に対称な構成及び配置を有するので、以下には片側の偏向ガイド５０及び支持ガイド５２に着目して説明する。
【００３０】
偏向ガイド５０はサイドサクションコンベア２８の下部に沿って延びており、取付けブラケット５４及びガイドプレート５６を互いに連結して形成されている。これら取付けブラケット５４及びガイドプレート５６は共に断面Ｌ字形状をなし、取付けブラケット５４はその一辺がサクション供給ガイド４０の背面に取付けボルト５８を介して取付けられ、取付けブラケット５４の他辺はサクション供給ガイド４０の側方をその側面に沿って延びている。取付けボルト５８が挿通される取付けブラケット５４の挿通孔６０はフィルムシート（移送面）Ｆの幅方向に延びるスロット形状をなし、その長さ分だけ取付けブラケット５４を変位させることができる。
【００３１】
一方、ガイドプレート５６はその一辺が取付けブラケット５４の他辺に連結ボルト６２及びナット６４を介して連結されており、ガイドプレート５６の他辺はフィルムシートＦ（移送面）と平行にしてサクション供給ガイド４０の近傍まで延びている。従って、ガイドプレート５６の先端とサクション供給ガイド４０との間には所定の間隔が確保されている。
【００３２】
上述した取付けブラケット５４及びガイドプレート５６は偏向ガイド５０を断面コ字形に形成しており、ここでのコ字形はサクション供給ガイド４０の側面に向けて開いている。
連結ボルト６２が挿通されるガイドレート５６の挿通孔６６はフィルムシートＦ（移送面）と交差する方向に延びるスロット形状をなし、その長さ分だけガイドプレート５６を変位させることができる。
【００３３】
一方、支持ガイド５２はサクション供給ガイド４０に沿って延びるプレート状をなし、サクション供給ガイド４０の凸状をなす先端部外側面に複数の取付けボルト６８を介して取付けられている。具体的には、支持ガイド５２は図７に示される形状をなし、取付けボルト６８を挿通させる切欠７０を有する。これら切欠７０もまたフィルムシートＦ（移送面）に対して交差する方向に延び、その長さ分だけ支持ガイド５２を変位させることができる。なお、フィルムシートＦ側の支持ガイド５２の端縁５２ａはその上部がフィルムシートＦの移送面から離れる方向に所定の角度を存して傾斜している。
【００３４】
更に、図３から明らかなように、ガイドプレート５６の他辺上端部５７はフィルムシートＦの移送面から離れる方向に折曲されており、それ故、フィルムシートＦが移送面に沿い胴巻き位置に向けて移送されるとき、上端部５７はフィルムシートＦの対応する側の側縁を偏向ガイド５０内に導き、フィルムシートＦの側縁が図６に示されるようにガイドプレート５６の他辺の内面により案内される。
【００３５】
即ち、フィルムシートＦの幅ＷＦは、前述した左右の支持ガイド５２間の間隔Ｄよりも広く、この間隔Ｄは製品Ａの幅ＷＡにほぼ一致する。
なお、図８はフィルムシートＦの幅ＷＦと製品Ａの幅ＷＡとの関係を示し、前述したようにフィルムシートＦが製品Ａの回りに胴折りされたとき、製品Ａの側面からのフィルムシートＦの側縁の突出量Ｘは製品Ａの厚みをＨとしたとき、Ｈ／２よりも大である。
【００３６】
また、支持ガイド５２の先端は、例えばフィルムシートＦの移送面上に位置付けられ、そして、偏向ガイド５０のガイドプレート５６はその他辺の内面が移送面よりも、製品Ａの押込み方向でみて若干手前側（移送ガイド１２側）に位置付けられている。
従って、図６からも明らかなように、フィルムシートＦが偏向ガイド５０を通過する際、フィルムシートＦの側縁はガイドプレート５６の他辺に案内されることで、フィルムシートＦの移送面の片側に向けて偏向、つまり、折曲され、そして、この折曲側縁はその基部が支持ガイド５２により支持且つ案内される。
【００３７】
この結果、図９から明らかなようにフィルムシートＦが偏向ガイド５０及び支持ガイド５２を通過中、その両側縁が折曲され、この折曲部が一体の補強リブＲとして働くことから、フィルムシートＦの腰が強くなり、サクションコンベア２８によるフィルムシートＦの移送を胴巻き位置まで安定して行うことができる。また、図９に加えて図３及び図５を参照すればより明らかなように、胴巻き位置に到達したフィルムシートＦの上部は未だサクションコンベア２８に吸着されれており、その両側縁には偏向ガイド５０及び支持ガイド５２により補強リブＲが形成された状態にある。つまり、図９に示すようにフィルムシートＦの上部はリブ付き状態にあるのに対し、その下部はサクションコンベア２８から単に垂下された垂下状態にある。
【００３８】
しかしながら、フィルムシートＦの下部はその上部の補強リブＲの存在により、若干湾曲され、このような湾曲部ＫはフィルムシートＦの下部の腰を強くする。従って、フィルムシートＦの下部が自由な垂下状態にあるとしても、フィルムシートＦの下部はふらつくことなく、その安定した姿勢を保持することができる。この結果、この後の製品ＡとともにフィルムシートＦが押し込まれる際、フィルムシートＦは確実に胴折りされることになる。
【００３９】
サクションコンベア２８はその下端が移送ガイド１２の終端直上に位置付けられているので、左右のサイドサクションコンベア２８ｓは移送ガイド１２と入口位置のポケット８ａとの間には存在していない。従って、サイドサクションコンベア２８ｓをフィルムシートＦの両側縁近傍に配置しても、これらサクションコンベア２８ｓが製品Ａの押込みに干渉することはないし、また、プッシャ２２における左右の突込み爪２４の往復動が水平面内でのブロックモーションにより実現されていても、突込み爪２４がサクションコンベア２８ｓと干渉することはない。
【００４０】
更に、偏向ガイド５０は、前述したようにフィルムシートＦの側縁に対して前後左右にそれぞれ変位可能であり、また、支持ガイド５２またフィルムシートＦの側縁に対して前後に変位可能あるので、例えば図１０に示されるようにフィルムシートＦの移送面からの支持ガイド５２の突出量を大きくしたり、また、偏向ガイド５０におけるガイドプレート５６の先端と支持ガイド５２との間の距離を調整することで、補強リブＲのサイズや形状、また、その剛性をフィルムシートＦの機械的性質、つまり、その幅や材質、そして厚み等により任意に変更することができ、種々のフィルムシートに対応可能となる。
【００４１】
また、左右のサイドサクションコンベア２８ｓは駆動軸３０に沿って移動可能であるから、図１１（ａ）〜（ｃ）から明らかなようにフィルムシートＦの幅が変更されても、サイドサクションコンベア２８ｓの配置をするだけで、これらサイドサクションコンベア２８ｓはフィルムシートＦの両側縁近傍を吸着することができる。
【００４２】
更に、偏向ガイド５０及び支持ガイド５２はサイドサクションコンベア２８ｓに設けられているので、サイドサクションコンベア２８ｓの配置を調整することで、偏向ガイド５０及び支持ガイド５２の配置も自動的に調整される。
偏向ガイド５０及び支持ガイド５２は、前述したようにフィルムシートＦの腰を強くすることから、フィルムシートＦの幅が広くても左右のサイドサクションコンベア２８ｓ間には１本のセンタサクションコンベア２８ｃを設けるだけでフィルムシートＦの移送を安定して行うことが可能となり、要求されるサクションコンベア２８の本数を削減することができ、しかも、これらサクションコンベア２８は共通の駆動軸３０より駆動されるから、そのメンテナンスもまた容易となる。
【００４３】
本発明は上述の一実施例に制約されるものではなく、一実施例では、フィルムシートの両側縁に形成される補強リブが製品の押込み方向に突出する形態をなしているものの、補強リブは押込み方向とは逆向きに突出する形態であってもよいなど、種々に変更可能である。
【００４４】
【発明の効果】
以上説明したように本発明の包装機のフィルムシート供給装置（請求項１）によれば、フィルムシートの両側縁側に位置する左右のサクションコンベアはその下端が製品の押込みラインの直上に位置付けられているので、製品が薄くてもサクションコンベアは製品の押込みと干渉することはなく、フィルムシートの両側縁側を吸着して、その移送を行うことができる。そして、左右のサクションコンベアには偏向ガイド及び支持ガイドをそれぞれ設けてあるから、フィルムシートの移送中、その両側縁を折曲することでフィルムシートに補強リブを形成することができ、その移送を安定させることができる。また、フィルムシートが胴折り位置に到達し、その下部が垂下された状態にあっても、フィルムシートの上部両側縁には補強リブが形成され、これら補強リブの存在はフィルムシートの下部を湾曲させるから、この下部の腰を強くし、フィルムシートは胴折り位置に安定して保持される。この結果、この後、製品の押込みに伴うフィルムシートの胴折りを確実に行うことができる。
【００４５】
左右のサクションコンベアはその配置位置をフィルムシートの幅方向に調整可能であり、しかも、その偏向ガイド及び支持ガイドもまたフィルムシートに対する位置を調整可能であるから（請求項２）、種々のフィルムシートに対応可能であるばかりでなく、そのフィルムシートの機械的な性質に応じて、補強リブのサイズや形状を変更することができる。
【図面の簡単な説明】
【図１】上包み包装機内での製品の包装手順を概略的に示した図である。
【図２】フィルムシートが製品の回りに胴折りされた状態を示す斜視図である。
【図３】図１の包装機におけるフィルムシートの供給ラインを示した側面図である。
【図４】製品を押込む左右の突込み爪の往復動を説明するための図である。
【図５】図３の供給ラインの正面図である。
【図６】サクションコンベアのレイアウトを示した断面図である。
【図７】支持ガイドを示した側面図である。
【図８】製品の幅に対するフィルムシートの幅を示した図である。
【図９】その両側縁に補強リブが形成されたフィルムシートを示す斜視図である。
【図１０】偏向ガイド及び支持ガイドにより補強リブのサイズや形状が変更であることを示した図である。
【図１１】左右のサイドサクションコンベアの配置が偏向ガイド及び支持ガイドともとに変更可能であることを示す図である。
【符号の説明】
１２          移送ガイド（押込みライン）
２８ｓ  サイドサクションコンベア
３２          サクションベルト
４０          サクション供給ガイド
５０          偏向ガイド
５２          支持ガイド
６０，６６    挿通孔（第１調整手段）
７０          切欠（第２調整手段）
Ｆ          フィルムシート
Ｒ          補強リブ
【図１】
2004359283.tif 000003
【図２】
2004359283.tif 000004
【図３】
2004359283.tif 000005
【図４】
2004359283.tif 000006
【図５】
2004359283.tif 000007
【図６】
2004359283.tif 000008
【図７】
2004359283.tif 000009
【図８】
2004359283.tif 000010
【図９】
2004359283.tif 000011
【図１０】
2004359283.tif 000012
【図１１】
2004359283.tif 000013